(57)【要約】  【課題】建築，構築物の壁面の表面側に設置することによって、その壁面の表面側を緑化する壁面緑化用資材に関し、保水性が良く、蔓性植物の登攀性が良好で、蔓性植物の生育に適し、施工箇所の景観を損なうことがないというヤシ繊維からなる資材の利点を維持しつつ、強度の面でも十分満足でき、特に経年による劣化で極端な強度低下を生じることのない壁面緑化用資材を提供することを課題とする。  【解決手段】壁面緑化用資材が、ヤシ繊維と、アラミド繊維とを具備して構成されていることを特徴とする。【選択図】図１
2010022211.tif 000002
【特許請求の範囲】
【請求項１】
ヤシ繊維と、アラミド繊維とを具備して構成されていることを特徴とする壁面緑化用資材。
【請求項２】
ヤシ繊維からなる糸状体（１）と、アラミド繊維からなる糸状体（２）とを集合させた集合体（３）を縒って紐状体（４）が構成されている請求項１記載の壁面緑化用資材。
【請求項３】
紐状体（４）をさらに複数本縒ってロープ（５）が構成されている請求項２記載の壁面緑化用資材。
【請求項４】
全体が網状に形成されている請求項１乃至３のいずれかに記載の壁面緑化用資材。
【請求項５】
ヤシ繊維が６５〜９９．９９重量％、アラミド繊維が０．０１〜３５重量％含有されている請求項１乃至４のいずれかに記載の壁面緑化用資材。
【発明の詳細な説明】
【技術分野】
【０００１】
本発明は、壁面緑化用資材、さらに詳しくは、建築，構築物の壁面の表面側に設置することによって、その壁面の表面側を緑化する壁面緑化用資材に関する。
【背景技術】
【０００２】
近年、自然木の少ない都市部においては建築，構築物等の壁面の緑化を行うことが盛んに試みられており、その緑化の工法として種々の方法がある。しかし、いずれの方法も実用化が十分にはなされていないのが現状である。これは、施工が大掛かりとなり、設置価格が比較的高価になる等の理由による。
【０００３】
そこで、建築物、構築物等の壁面において登攀させ易い蔓性植物を用いて壁面緑化を行うことが試みられている。このような蔓性植物を用いた緑化工法として簡易且つ一般的なものは、特許文献１に示すように、可撓性を有する網状体からなるネットに蔓性植物を絡ませた緑化シートを用いる工法である。このような緑化シートを構成するネットの多くは、ポリエチレン等の汎用品である合成繊維からなるものが用いられている。
【０００４】
しかし、これら合成繊維は保水性が少ない等、蔓性植物との相性が十分ではなく、また蔓性植物の生育上必ずしも好適なものではなかった。さらに、人工的な合成繊維からなる資材は、景観の面でも好ましいものではない。
【０００５】
そこで、ヤシ繊維等の天然繊維を壁面緑化用の資材として用いることも試みられており、そのような技術として、たとえば特許文献２や特許文献３のような特許出願がなされている。このような天然繊維を壁面緑化用資材として使用した場合には、蔓性植物の登攀性が良好であり、また、このような天然繊維は、本来、蔓性植物の生育には適するものである。
【０００６】
しかしながら、このような天然繊維からなる緑化用資材は、登攀する蔓性植物を保持する上での強度の面において、必ずしも十分なものではなく、特に耐候性等が十分でないために、経年による劣化で強度低下を生じ、緑化用資材が破壊し、蔓性植物が不用意に落下する等の危険性があった。
【０００７】
【特許文献１】特開２０００−１６６３７３号公報
【特許文献２】特開平１１−８９４２０号公報
【特許文献３】特開２００１−５７８１２号公報
【発明の開示】
【発明が解決しようとする課題】
【０００８】
本発明は、このような問題点を解決するためになされたもので、保水性が良く、蔓性植物の登攀性が良好で、蔓性植物の生育に適し、施工箇所の景観を損なうことがないというヤシ繊維からなる資材の利点を維持しつつ、強度の面でも十分満足でき、特に経年による劣化で極端な強度低下を生じることのない壁面緑化用資材を提供することを課題とするものである。
【課題を解決するための手段】
【０００９】
本発明は、このような課題を解決するためになされたもので、ヤシ繊維と、アラミド繊維とを具備して構成されていることを特徴とする壁面緑化用資材を提供するものである。このような壁面緑化用資材は、たとえばヤシ繊維からなる糸状体と、アラミド繊維からなる糸状体とを集合させた集合体を縒って紐状体とされることによって構成される。このような紐状体は、さらに複数本縒ってロープとして構成することも可能である。
【００１０】
さらに、このような紐状体或いはロープとして構成された壁面緑化用資材は、全体が網状となるように形成することも可能である。ヤシ繊維とアラミド繊維との重量比は限定されないが、ヤシ繊維が６５〜９９．９９重量％、アラミド繊維が０．０１〜３５重量％含有されていることが望ましい。
【発明の効果】
【００１１】
本発明の壁面緑化用資材は、上述のように、アラミド繊維を具備して構成されたものであるので、初期強度の面でも十分満足でき、さらに経年により、ヤシ繊維がある程度劣化したとしても、アラミド繊維は極端な強度低下を生じず、壁面緑化用資材としては一定の形態を保持しているので、たとえば資材に絡んだ状態で保持されている蔓性植物の落下を防止できる等、壁面緑化の施工に支障を生じさせることがないという効果がある。
【００１２】
また、ヤシ繊維を具備しているので、蔓性植物の植物根を好適に吸着させることができ、保水性や養分性が良好である等のヤシ繊維の特性をそのまま維持させることができるという利点がある。
【００１３】
しかも、ヤシ繊維を具備していることで、施工箇所における景観を損なうこともない。
【発明を実施するための最良の形態】
【００１４】
以下、本発明の実施形態について図面に従って説明する。本発明の壁面緑化用資材は、上述のように、ヤシ繊維と、アラミド繊維とを具備して構成されたものである。
【００１５】
ヤシ繊維は、熱帯から亜熱帯地域にかけて分布するヤシ科植物における繊維状樹皮、葉柄基部繊維、中果皮繊維等の繊維である。ヤシ科の植物は、すべて常緑の低木または高木で、幹は単一で枝を分けることがなく、先端に葉冠をつくるものであり、幹がほとんど無いものや、高さ３０メートルにもなるものの、表面がなめらかなもの、古い葉鞘に密に包まれたものなどがある。
【００１６】
その葉はふつう大型で、掌状または羽状で革質、葉柄の基部は幅広い葉鞘となって幹をしっかりと抱いている、葉鞘部にはたくさんの繊維があり、種類によっては、古くなると柔らかい組織は腐って繊維だけが残り、いわゆるシュロ皮ができる。花序は頂生又はえき生の大きな総状の肉穂花序で、よく分岐し、頂生の場合は、花が咲くと木は枯死する。風または昆虫によって受精し、果実は液果または該果の場合は、内果皮は種子にくっついているのが普通であり、中果皮は厚い繊維層を有する。
【００１７】
ヤシ繊維はこのようなものであり、具体的には、樹皮が繊維状として呈するヤシ科植物として、たとえばシユロ属シュロ、トウジュロ等が例示され、葉柄基部に繊維を呈するものとして、たとえばチャマエロプス属チャボトウジュロ、クジャクヤシ属クジャクヤシ、オウギヤシ属オウギヤシ、ナツメヤシ属ナツメヤシ、サゴヤシ属サゴヤシ、クロツグ属クロツグ、サトウヤシ等が例示され、中果皮の繊維を提供するものとして、たとえばココヤシ属ココヤシ、ニッパヤシ属ニッパヤシ等が例示される。
【００１８】
本発明においては、主としてココヤシの繊維が用いられる。
【００１９】
一方、アラミド繊維は、芳香族ポリアミド繊維とも称され、パラフェニレンジアミンとテレフタル酸との共重合体である、いわゆるパラ系アラミドと称されるポリ−ｐ−フェニレンテレフタルアミド、及びメタフェニレンジアミンとテレフタル酸との共重合体である、いわゆるメタ系アラミドと称されるポリ−ｍ−フェニレンテレフタルアミドがある。
【００２０】
パラ系アラミドとしては、たとえばデュポン社のケブラー（登録商標）、帝人株式会社のテクノーラ（登録商標）等が例示される。また、メタ系アラミドとしては、たとえばデュポン社のノーメックス（登録商標）、カーメル社のカーメル（kermel）繊維等が例示される。
【００２１】
本発明においては、後述のように、主として、ポリ−ｐ−フェニレンテレフタルアミドにカーボンブラックを添加した帝人株式会社のテクノーラ（登録商標）Ｔ−２４０８が用いられる。とりわけ、カーボンブラックを原着したものや、耐候剤を添加したものは、耐候劣化が少なく、好適に使用することができる。
【００２２】
本発明の壁面緑化用資材は、たとえばヤシ繊維からなる糸状体と、アラミド繊維からなる糸状体との集合体を縒って紐状体とされたものによって構成され、或いは、そのような紐状体をさらに複数本縒ってロープとされたものによって構成される。このような紐状体とされたもの、或いはロープとされたものを、さらに網状に形成することによって、壁面緑化用資材として用いることも可能である。
【００２３】
ヤシ繊維とアラミド繊維との含有量は、特に限定されるものではないが、ヤシ繊維が６５〜９９．９９重量％、アラミド繊維が０．０１〜３５重量％含有されていることが望ましい。
【００２４】
アラミド繊維が０．０１重量％未満になると、ヤシ繊維が分解された後に、蔓性植物等が不用意に落下しないように資材に絡めて保持しうるだけの強度を維持できないおそれがある一方で、アラミド繊維が３５重量％を超えると、すなわちヤシ繊維が６５重量％未満になると、施工箇所の景観が損なわれるおそれがあるとともに、保水性、養分性等のヤシ繊維が本来有する特性が損なわれるおそれがあるからである。
【００２５】
この観点からは、ヤシ繊維が８０〜９９．９重量％、アラミド繊維が０．１〜２０重量％であることがより好ましく、ヤシ繊維が９０〜９９．５重量％、アラミド繊維が０．５〜１０重量％であることがさらに好ましい。
【００２６】
以下に、より具体的な実施形態について説明する。
【００２７】
一実施形態の壁面緑化用資材６は、図１に示すようにヤシ繊維からなる複数本（７〜１５本程度）の糸状体１と、アラミド繊維からなる１本の糸状体２とを縒り合わせ、これらの糸状体１及び糸状体２の集合体３を、図２に示すように２本縒って紐状体４とし、その紐状体４を、さらに図３に示すように２本縒ってロープ５とし、さらに、そのロープ５を縦横に複数本配置して網状にして構成されたものである。
【００２８】
本実施形態では、ヤシ繊維としては、上記のようなココヤシの繊維を用い、アラミド繊維としては、上記のようなポリ−ｐ−フェニレンテレフタルアミドにカーボンブラックを添加したテクノーラＴ−２４０８（帝人株式会社製）を用いた。
【００２９】
本実施形態の壁面緑化用資材６は、上記のようなロープ５を縦横に複数本配置して網状にして構成されたものであるため、このような網状に構成された壁面緑化用資材６に蔓性植物等を絡ませる等によって好適に施工することができる。
【００３０】
この場合において、壁面緑化用資材６を構成している糸状体１、２の集合体３は、ヤシ繊維からなる複数本（７〜１５本程度）の糸状体１と、アラミド繊維からなる１本の糸状体２とを縒り合わせて構成されたものであるため、ヤシ繊維が全体として壁面緑化用資材６の９０〜９９重量％程度の割合で含有されていることになり、蔓性植物の植物根を好適に吸着させることができ、且つ保水性や養分性が良好であるというヤシ繊維の特性をそのまま維持するものである。また、このようにアラミド繊維に比べて多量のヤシ繊維含有を具備していることで、施工箇所における景観を損なうこともない。
【００３１】
一方、ヤシ繊維に比べて少量ではあるが、強度特性に優れたアラミド繊維を含有しているので、施工して所定期間経過後に、ヤシ繊維からなる糸状体１が分解したとしても、そのアラミド繊維からなる糸状体２が残存しているので、紐状体４、或いはロープ５の形態が完全に崩れるようなことがなく、その結果、そのロープ５で網状に構成された壁面緑化用資材６の形態が極端に損なわれることもなく、従って、蔓性植物が壁面緑化用資材６から不用意に落下するようなこともないのである。
【００３２】
このように、本実施形態では、ヤシ繊維の利点を維持しつつ、所定年数経過後に不用意に分解して、蔓性植物の落下等を生じさせることがない壁面緑化用資材を提供することができた。
【００３３】
また、アラミド繊維としては、上記のようにポリ−ｐ−フェニレンテレフタルアミドにカーボンブラックを添加したものが用いられているので、このようなアラミド繊維を含有する壁面緑化用資材の耐候性も良好となり、屋外での施工に適した壁面緑化用資材を提供することができる。
【００３４】
尚、上記実施形態では、ヤシ繊維からなる複数本（７〜１５本程度）の糸状体１と、アラミド繊維からなる１本の糸状体２とを縒り合わせて、ヤシ繊維が全体として壁面緑化用資材６の９０〜９９重量％程度の割合で含有されるように構成したが、ヤシ繊維の含有量は上記実施形態に限定されるものではない。
【００３５】
また該実施形態では、ヤシ繊維としてココヤシの繊維を用い、アラミド繊維としては、上記のようなポリ−ｐ−フェニレンテレフタルアミドにカーボンブラックを添加したテクノーラＴ−２４０８（帝人株式会社製）を用いたが、ヤシ繊維やアラミド繊維の種類も該実施形態に限定されるものではない。
【００３６】
さらに、上記実施形態では、糸状体１、２の集合物３を、２本縒って紐状体４としたが、紐状体４を構成する集合物３の本数も該実施形態の２本に限定されない。同様に、ロープ５を構成する紐状体４の本数も、該実施形態の２本に限定されるものではない。
【００３７】
さらに、壁面緑化用資材６の最終的な形態も、上記実施形態のような網状のものに限定されるものではない。
【００３８】
尚、吸着性の蔓性植物の種類は問うものではなく、たとえばヘデラヘリックス、ヘデラカナリエンシス、ナツヅタ、オオイタビカズラ、キヅタ等を用いることができ、また、このような蔓性植物以外の植物に本発明を適用することも可能である。
【図面の簡単な説明】
【００３９】
【図１】一実施形態の壁面緑化用資材を構成する糸状体を示す概略正面図。
【図２】糸状体の集合体で縒って構成した紐状体の概略正面図。
【図３】紐状体を縒って構成したロープの概略正面図。
【図４】ロープで網状に構成された壁面緑化用資材の概略正面図。
【符号の説明】
【００４０】
１  糸状体
２  糸状体
３  集合体
４  紐状体
５  ロープ
６  壁面緑化用資材
【図１】
2010022211.tif 000003
【図２】
2010022211.tif 000004
【図３】
2010022211.tif 000005
【図４】
2010022211.tif 000006